(57)【要約】【課題】本発明は、セキュリティ機器の警戒モードの設定や解除を一定時間内に実施しなければならないということを課題とするものである。【解決手段】現在位置比較手段１５が自宅位置データと現在の位置情報との距離が一定距離以内であると判断すれば、電話発信手段１６は自宅電話番号記憶手段１７にあらかじめ登録された電話番号を発信する。セキュリティ機器が受信する電話着信信号に含まれる電話番号が電話番号判別手段１１で予め登録された番号であれば、警戒モードを解除する。【選択図】図２
2010086373.tif 000002
【特許請求の範囲】
【請求項１】
侵入者が侵入した場合にセンターに通報する手段を備えたセキュリティ機器と、情報端末とを備えるセキュリティシステムにおいて、
前記情報端末は、
ＧＰＳ信号を受信するＧＰＳアンテナと、
前記ＧＰＳアンテナから受信した現在位置情報と所定の位置情報との間の距離を演算し、その演算した距離が所定距離以内であるか否かを判定する現在位置比較手段と、
前記現在位置比較手段により演算した距離が所定距離以内であると判定されれば予め登録された連絡先に発信を行う電話発信手段とを備え、
前記セキュリティ機器は、
前記情報端末からの電話着信があった場合に前記情報端末の電話番号が予め登録されている番号であるか否かを判別する電話番号判別手段と、
前記電話番号判別手段により予め登録された電話番号からの着信であれば警戒モードを解除する警戒モード設定手段とを備えるセキュリティシステム。
【請求項２】
電話発信手段は、ＧＰＳアンテナから受信した現在位置情報と所定の位置情報との間の距離が一定距離離れると予め登録された連絡先に発信を行い、
警戒モード設定手段は、前記発信が予め登録された電話番号からの発信であれば警戒モードに設定する請求項１記載のセキュリティシステム。
【請求項３】
セキュリティ機器は、電話着信の回数を判別する電話着信回数計測手段を備え、警戒モード設定手段は、前記電話着信回数計測手段により予め登録された電話番号からの着信回数が一定以上であると計測されたとき、警戒モードの解除や設定を行うことを特徴とした請求項１または２記載のセキュリティシステム。
【請求項４】
情報端末は、通信手段付きカーナビゲーションである請求項１から３のいずれか１項に記載のセキュリティシステム。
【発明の詳細な説明】
【技術分野】
【０００１】
本発明は、各種センサーからの信号により、侵入者の有無を検知するセキュリティのシステム装置に関するものである。
【背景技術】
【０００２】
従来のセキュリティシステムは、異常を検知する為の各種センサーから信号を受けた場合、公衆回線網を利用してしかるべき箇所に異常状態を通報するものであった（例えば、特許文献１参照）。
【０００３】
また、警戒モードに設定した場合、設定してから外出するまでの誤検知を回避する為、警戒モードの実行を遅らせるタイマーを備えるようになっていた（例えば、特許文献２参照）。
【０００４】
更に、携帯電話により警戒モードを切り替えるという手段を備えたものもあった（例えば、特許文献３参照）。
【特許文献１】特開２００１−１８９８１４号公報
【特許文献２】特開２００４−１７８１０３号公報
【特許文献３】特開２００３−２９６８５６号公報
【発明の開示】
【発明が解決しようとする課題】
【０００５】
しかしながら、外出から帰宅した場合、一定時間内に警戒モードを解除しないと侵入者と誤検知され、しかるべき箇所に異常状態を通報されてしまうという課題があった。
【０００６】
反対に、外出する際に警戒モードに設定した場合に、一定時間内に家の外に出てしまわないと、同じ様に異常状態として通報されてしまうという課題があった。
【０００７】
その為、セキュリティの使用者は、帰宅時にはまず先にセキュリティの解除を意識する必要があり、また、外出時にはセキュリティの設定後すぐに外に出ることが出来る様に、他の全ての家の中の用事を済ませておく必要があった。
【０００８】
また、携帯電話によりセキュリティの設定及び解除が出来れば、上記課題を解決することが出来るが、逆に、自宅の近傍で必ず電話をかける必要があるという煩わしさが発生することになった。
【課題を解決するための手段】
【０００９】
上記課題を解決するために、本発明のセキュリティシステムは、セキュリティ機器と情報端末とを備え、情報端末は、ＧＰＳ信号を受信するＧＰＳアンテナと、ＧＰＳアンテナから受信した現在位置情報と所定の位置情報との間の距離を演算し、その演算した距離が所定距離以内であるか否かを判定する現在位置比較手段と、現在位置比較手段により演算した距離が所定距離以内であると判定されれば予め登録された連絡先に発信を行う電話発信手段とを備え、セキュリティ機器は、情報端末からの電話着信があった場合に情報端末の電話番号が予め登録されている番号であるか否かを判別する電話番号判別手段と、電話番号判別手段により予め登録された電話番号からの着信であれば警戒モードを解除する警戒モード設定手段とを備えるものである。
【発明の効果】
【００１０】
本発明は、居住者がＧＰＳ手段付きの装置と共にセキュリティシステムを作動させている場所（例えば自宅など）に近づくと、自動的にセキュリティの警戒モードを解除する手段をもたせることにより、居住者が帰宅する際に急いでセキュリティの警戒モード解除の実行をしたり、或いは、自宅近傍でわざわざ電話をする必要性を省くようにしたものである。
【発明を実施するための最良の形態】
【００１１】
第１の発明のセキュリティシステムは、セキュリティ機器と情報端末とを備え、情報端末は、ＧＰＳ信号を受信するＧＰＳアンテナと、ＧＰＳアンテナから受信した現在位置情報と所定の位置情報との間の距離を演算し、その演算した距離が所定距離以内であるか否かを判定する現在位置比較手段と、現在位置比較手段により演算した距離が所定距離以内であると判定されれば予め登録された連絡先に発信を行う電話発信手段とを備え、セキュリティ機器は、情報端末からの電話着信があった場合に情報端末の電話番号が予め登録されている番号であるか否かを判別する電話番号判別手段と、電話番号判別手段により予め登録された電話番号からの着信であれば警戒モードを解除する警戒モード設定手段とを備えるものである。
【００１２】
これにより、セキュリティシステムを作動させている場所（例えば自宅など）に近づくと自動的に電話をかけることにより警戒モードを解除させることができる。
【００１３】
第２の発明のセキュリティシステムは、第１の発明のセキュリティシステムの電話発信手段において、ＧＰＳアンテナから受信した現在位置情報と所定の位置情報との間の距離が一定距離離れると予め登録された連絡先に発信を行い、警戒モード設定手段は、その発信が予め登録された電話番号からの発信であれば警戒モードに設定するものである。
【００１４】
これにより、外出時にＧＰＳ手段付き携帯電話を所持しているだけで、セキュリティシステムを作動させている場所から離れると自動的に電話をかけることにより警戒モードを設定させることができる。
【００１５】
第３の発明のセキュリティシステムは、第１または第２の発明のセキュリティシステムのセキュリティ機器において、電話着信の回数を判別する電話着信回数計測手段を備え、警戒モード設定手段は、前記電話着信回数計測手段により予め登録された電話番号からの着信回数が一定以上であると計測されたとき、警戒モードの解除や設定を行うものである。
【００１６】
これにより、間違ってセキュリティシステムを作動させている場所に電話をかけた場合、警戒モードを意図せず解除したり、或いは設定してしまうリスクを低減させることができる。
【００１７】
第４の発明のセキュリティシステムは、第１から第３の発明のセキュリティシステムにおいて、情報端末を通信手段付きカーナビゲーションとしたものである。
【００１８】
これにより、車で移動中であっても、セキュリティシステムを作動させている場所に近づくと自動的に警戒モードを解除したり、反対に外出時は警戒モードを設定させることができる。
【００１９】
以下、本発明の実施の形態について図面を用いて説明する。なお、この実施の形態によって本発明が限定されるものではない。
【００２０】
（実施の形態１）
図１は本発明の第１の実施の形態によるセキュリティシステムであって、セキュリティシステムを構成する機器が示されている。屋内には、セキュリティ機器１、各センサ（Ａセンサ２、Ｂセンサ３、Ｃセンサ４）が無線通信を介して接続されており、屋外には公衆回線網６、管理センター７、携帯電話１２がある。
【００２１】
セキュリティ機器１は、警戒モード設定部５、設定手段８、遅延手段９、解除手段１０、電話番号判別手段１１から構成される。
【００２２】
警戒モード設定部５は、警戒モードに設定されている場合に家の中の各センサから信号を受けると、セキュリティ機器１に装備される報知器（図示はしない）で家人に報知、警告したり、公衆回線網６を介し管理センター７へ異常として連絡する。
【００２３】
警戒モードに設定されていない場合に家の中の各センサから信号を受けると、
報知器での報知や管理センターへの連絡は行わない。
【００２４】
設定手段８は、セキュリティ機器１の筐体表面に入力スイッチとして設置されているもので、これを押すことにより信号が遅延手段９に伝達される。
【００２５】
この信号を受けた遅延手段９は、内部タイマーで一定時間経過をカウント後、警戒モード設定部５に警戒モードを設定する為の信号を送る。
【００２６】
解除手段１０は、セキュリティ機器１の筐体表面に入力スイッチとして設置されているもので、これを押すことにより信号が警戒モード設定部５に伝達され、既に警戒モードに設定されている場合に警戒モードの解除を行う。
【００２７】
電話番号判別手段１１は、内部の記憶部に複数の電話番号を登録させることが
可能で、公衆回線網６からの電話着信の番号をこの登録済みの番号と比較し、一致した場合には警戒モード設定部５に信号を送る動作を行う。
【００２８】
Ａセンサ２、Ｂセンサ３、Ｃセンサ４は、窓に設置され窓の開閉を検知したり、人感センサとして人の存在を検知したり、鍵の開閉を検知したりする。そして、各センサにより人体の存在が検知した場合は、セキュリティ機器１の警戒モード設定部５へ信号を送る。
【００２９】
管理センター７は、公衆回線網６を介してセキュリティ機器１から異常信号を受けた場合、契約者の家に侵入があったとして、警備員を派遣する等の対応をとる。
【００３０】
一方、公衆回線網６を介して自宅へ電話着信させる手段として、図２の様な携帯電話１２を利用する。
【００３１】
携帯電話１２は、ＧＰＳアンテナ１３、自宅登録手段１４、現在位置比較手段１５、電話発信手段１６、自宅電話番号記憶手段１７から構成されている。
【００３２】
ＧＰＳアンテナ１３は、全地球測位システムの衛星からの電波信号を受信する為のアンテナであり、受信したデータを現在位置比較手段１５へ送る。
【００３３】
自宅登録手段１４は、あらかじめ自宅の位置を登録することで、位置データとした記憶させておく。
【００３４】
現在位置比較手段１５は、ＧＰＳアンテナ１３から送られてくる現在位置データと、自宅登録手段１４に記憶されている自宅位置データを比較し、現在位置があらかじめ設定さ
れた自宅位置からの距離を越えたり、または近づいたりした場合に、電話発信手段１６へ信号を送る。
【００３５】
自宅電話番号記憶手段１７は、自宅の電話番号をあらかじめ記憶させておく手段である。
【００３６】
電話発信手段１６は、現在位置比較手段１５からの信号があった場合、自宅電話番号記憶手段１７から自宅の電話番号を読み出し、自宅へ電話発信を行う。
【００３７】
以下、実施の形態１におけるセキュリティ機器１の動作を説明する。
【００３８】
セキュリティ機器１の警戒モード設定部５は、家の中に設置された各センサ（Ａセンサ２、Ｂセンサ３、Ｃセンサ４）からの検知信号を随時受信する。そして、警戒モード設定部５が警戒モード中に受信した信号から家の中に侵入者を検知したことを示す信号を受信した場合は、警戒モード設定部５より公衆回線網６を利用して管理センター７へ異常を伝える。
【００３９】
通常、警戒モードの設定は設定手段８により行うが、遅延手段９により実際に警戒モードへの移行までに時間の余裕を与えている。遅延時間は、あらかじめ設定しておくが、変更も可能である。反対に、解除手段１０により警戒モードの設定を即座に解除可能である。
【００４０】
上記の様に警戒モードへの設定・解除を行う方法以外に、携帯電話１２から送信される電話着信信号によっても警戒モードの設定や解除が可能である。
【００４１】
携帯電話１２は、ＧＰＳアンテナ１３を介して現在の位置情報を受信できる。そして、現在位置比較手段１５は、自宅登録手段１４に記憶されている自宅位置データと現在の位置情報を比較し、あらかじめ設定された一定距離を越えているかどうかを演算する。
【００４２】
現在位置比較手段１５が自宅位置データと現在の位置情報との距離が一定距離以内であると判断すれば、電話発信手段１６へ信号を送る。この信号により、電話発信手段１６は、自宅電話番号記憶手段１７にあらかじめ登録された電話番号を発信する。
【００４３】
電話発信手段１６から発信された電話着信信号は、電話番号判別手段１１によりあらかじめ登録された番号から発信されたものであるのか否かを判定される。あらかじめ登録された番号である場合、警戒モード設定部５がその信号を受け取ることにより、警戒モードを解除させる。
【００４４】
なお、警戒モード設定部５は、警戒モードでない場合に電話番号判別手段１１からの信号を受けると警戒モードに設定するようにしてもよい。このような構成をよれば、携帯電話１２に内蔵される現在位置比較手段１５から、あらかじめ設定された一定距離を越えて自宅から離れた場合、自宅より離れたと判断し、電話発信手段１６へ信号を出すことにより自宅へ電話発信する手段を装備することで、携帯電話１２が自宅より離れることでセキュリティ機器は自動的に警戒モードに設定される。
【００４５】
これにより、外出時にＧＰＳ手段付き携帯電話を所持しているだけで、自宅から離れると家の外から自宅へ電話をかけることにより自動的に警戒モードを設定させることができる。
【００４６】
なお、図３の様に、セキュリティ機器１に電話着信回数を計測する手段１８を備え、電
話番号判別手段１１によりあらかじめ登録された番号であると判断された着信に対して計測を行い、一定回数以上の着信があった時のみ警戒モード設定部５へ信号を送るようにしてもよい。
【００４７】
これは、図４の様に、まず最初に着信回数により警戒モードへの信号を送るかどうか判断を行い、信号を送る場合、その時の警戒モードの設定状態により、解除するか設定するかを判断することになる。
【００４８】
これにより、間違って自宅に電話をかけた場合、警戒モードを意図せず解除したり、或いは設定してしまうリスクを低減させることができる。もちろん、着信回数を変更できる様にしても構わない。
【００４９】
なお、本実施の形態では、情報端末として携帯電話１２を挙げて説明したが、通信手段付きカーナビゲーションを用いても良い。
【００５０】
通信手段付きカーナビゲーションにおいて、携帯電話１２と同じ様に現在位置とあらかじめ登録された自宅位置を比較する手段を装備し、自宅から一定の距離に近づいたり離れたりするタイミングで自宅へ電話発信すると、これに連動して自宅のセキュリティ機器が警戒モードの設定・解除を行うことになる。
【００５１】
これにより、車で移動中であっても、自宅に近づくと自動的に警戒モードを解除したり、反対に外出時は警戒モードを設定させることができる。
【産業上の利用可能性】
【００５２】
以上のように、本発明にかかるセキュリティシステムは、ＧＰＳ手段付き携帯電話によりセキュリティシステムを作動させている場所より一定距離を移動することを判別し、それによりセキュリティシステムを作動させている場所へ電話着信させることで、セキュリティ機器の警戒モードの設定・解除を実施することができる。
【図面の簡単な説明】
【００５３】
【図１】本発明のセキュリティシステムの家屋内部の構成図
【図２】本発明のセキュリティシステムの携帯電話の構成図
【図３】本発明のセキュリティシステムのセキュリティ機器の構成図
【図４】本発明の着信時判別フロー図
【符号の説明】
【００５４】
１  セキュリティ機器
２  Ａセンサ
３  Ｂセンサ
４  Ｃセンサ
５  警戒モード設定部
６  公衆回線網
７  管理センター
８  設定手段
９  遅延手段
１０  解除手段
１１  電話番号判別手段
１２  携帯電話
１３  ＧＰＳアンテナ
１４  自宅登録手段
１５  現在位置比較手段
１６  電話発信手段
１７  自宅電話番号記憶手段
１８  電話着信回数計測手段
【図１】
2010086373.tif 000003
【図２】
2010086373.tif 000004
【図３】
2010086373.tif 000005
【図４】
2010086373.tif 000006